(57)【要約】【課題】安定した発光色が得られる発光装置及び照明装置を提供する。【解決手段】基体１１と、基体に配設された発光ダイオードチップ１２と、発光ダイオードチップに対向して設けられ、発光ダイオードチップの光により異なる光を発光する蛍光体を含んでなる蛍光体層１３と、発光ダイオードチップ及び蛍光体層から放射される光を通過させるレンズ体１５と、レンズ体と蛍光体層との間に設けられた光拡散手段１６とを具備する発光装置を構成する。【選択図】        図１
2007180288.tif 000002
【特許請求の範囲】
【請求項１】
基体と；
基体に配設された発光ダイオードチップと；
発光ダイオードチップに対向して設けられ、発光ダイオードチップの光により異なる光を発光する蛍光体を含んでなる蛍光体層と；
発光ダイオードチップ及び蛍光体層から放射される光を通過させるレンズ体と；
レンズ体と蛍光体層との間に設けられた光拡散手段と；
を具備することを特徴とする発光装置。
【請求項２】
基体と；
基体に配設された発光ダイオードチップと；
発光ダイオードチップに対向して設けられ、発光ダイオードチップの光により異なる光を発光する蛍光体を含み、かつ発光ダイオードチップより大なる発光面積を有する蛍光体層と；
発光ダイオードチップ及び蛍光体層から放射される光を通過させるレンズ体と；
レンズ体と蛍光体層との間に設けられた光拡散手段と；
を具備することを特徴とする発光装置。
【請求項３】
前記光拡散手段は、レンズ体に一体に形成したことを特徴とする請求項１または２に記載の発光装置。
【請求項４】
前記発光ダイオードチップは、青色発光ダイオードチップで構成し、蛍光体層は黄色蛍光体を有して構成したことを特徴とする請求項１ないし３いずれか一に記載の発光装置。
【請求項５】
照明装置本体と；
照明装置本体に配設された請求項１ないし４いずれか一に記載の発光装置と；
を具備することを特徴とする照明装置。
【発明の詳細な説明】
【技術分野】
【０００１】
本発明は、発光ダイオードを発光源とした発光装置及び照明装置に関する。
【背景技術】
【０００２】
近年、フィラメント電球や蛍光ランプなどに代わって、寿命が長く、また消費電力の少ない発光ダイオードを発光源とした発光装置が、各種照明装置の光源として採用されるようになってきている。
【０００３】
これら発光ダイオードを発光源とした発光装置により、白色の光源を得るために次の方式がとられている。
【０００４】
青色発光ダイオードと、その補色である黄色蛍光体を組み合わせて白色光を得る方式。
【０００５】
光の３原色である、赤色発光ダイオード、緑色発光ダイオード及び青色発光ダイオードを組み合わせて白色光を得る方式。
【０００６】
さらに、紫または紫外発光ダイオードに赤・緑・青の蛍光体を組み合わせて白色光を得る方式。
【０００７】
これらの方式で白色光を得る発光装置には、例えば、特許文献１に示すように、発光ダイオードの光を所望の方向に集束させるためにレンズを設けて構成している。
【特許文献１】特開平１１−１６３４１２号公報
【発明の開示】
【発明が解決しようとする課題】
【０００８】
白色の光源を得るための方法として、上記のような方式がとられているが、例えば、青色発光ダイオードとその補色である黄色蛍光体を組み合わせて白色光を得る方式においては、一般的に図７（ａ）に示すように、基体５０の円形をなす凹部５０ａの中央部に青色発光ダイオードチップ５１を配設し、チップの上面に対向して黄色蛍光体層５２を設けて構成し、白色の光を１枚のレンズ５３を通して放射するように構成している。
【０００９】
しかしながら、レンズを用いて光を取り出すと、照射面５４に一部青色が存在して、完全な白色とならない問題が生じる。
【００１０】
特に、上記に構成した青色発光ダイオードチップ５１、黄色蛍光体層５２及び１枚のレンズ５３からなる発光装置によって、下方から照明すると、図７（ｄ）に示すように、白色領域Ｗの上方に一部青色の領域Ｂが存在し、照射面に色むらが生じた照明となってしまう。
【００１１】
これは、図７（ｂ）に照射面５４の投影図Ｘで示すように、基体の光源部分の構成、すなわち、黄色蛍光体層５２の中心部に青色の発光ダイオードチップ５１を設けた像形が、レンズ５３を通して略そのままの形で照射面５４に投影され、一部に青色が存在することが起因していることが分かった。
【００１２】
特に、この現象は、図７（ｃ）に基体５０の平面視の図で示すように、青色発光ダイオードチップ５１による青色領域のサイズと黄色蛍光体層５２による黄色領域のサイズが異なる場合、換言すれば、青色発光ダイオードチップの発光面積Ｂと黄色蛍光体層による発光面積Ｙが異なる場合に、１枚のレンズまたは全反射形のレンズを使用すると色が分離し、より顕著に現れて色むらが生じ照射面が白色とならないことが判明した。
【００１３】
特許文献１などに示されるレンズは、専ら配光特性や光の取り出し効率を改良したもので、色むらを改善することには至っていない。
【００１４】
このため、この種発光ダイオードを発光源とした発光装置においては、色むらを生じない安定した白色光を如何に得るかが重要な課題となっている。
【００１５】
これは、白色を得るための他の方式、すなわち、赤色発光ダイオード、緑色発光ダイオード及び青色発光ダイオードを組み合わせて白色光を得る方式でも、さらに紫または紫外発光ダイオードに赤・緑・青の蛍光体を組み合わせて白色光を得る方式でも、程度の差こそあれ、同様の問題が生じており、さらには、白色に限らず、所望の補色関係にない可視光を得る場合にも同様の問題が生じる。
【００１６】
本発明は、上記の問題、課題に鑑みてなされたもので、安定した発光色が得られる発光装置及び照明装置を提供しようとするものである。
【課題を解決するための手段】
【００１７】
本発明における第１の態様の発光装置は、基体と；基体に配設された発光ダイオードチップと；発光ダイオードチップに対向して設けられ、発光ダイオードチップの光により異なる光を発光する蛍光体を含んでなる蛍光体層と；発光ダイオードチップ及び蛍光体層から放射される光を通過させるレンズ体と；レンズ体と蛍光体層との間に設けられた光拡散手段と；を具備することを特徴とする。
【００１８】
本発明によれば、レンズ体と蛍光体層との間に設けられた光拡散手段により、発光ダイオードチップ及び蛍光体層の色の領域サイズが異なっていても照射面の色が分離することなく、色むらを抑制し安定した発光色を得ることが可能な発光装置が実現される。
【００１９】
本発明において、基体は、例えば、ＰＢＴ（ポリブチレンテレフタレート）等の、耐熱性、耐光性、電気絶縁性を有する合成樹脂等からなり、発光ダイオードチップ及び蛍光体層を配設するための凹部を有する基体として構成されることが許容される。
【００２０】
発光ダイオードチップは、所望の発光色を有するものが用いられ、例えば、青色発光形、紫または紫外発光形、さらには、赤色発光形や緑色発光形などの発光ダイオードチップを用いることができる。
【００２１】
蛍光体層は、発光ダイオードチップから放射される光によって励起され所望の発光色を得るための手段で、発光ダイオードチップの光により異なる光を発光する蛍光体を含んでなり、発光ダイオードチップから放射される光が通過するように、発光ダイオードチップに対向して設けられる。例えば、発光ダイオードチップを蛍光体層に埋設して対向させるようにしても、または、発光ダイオードチップの前面に位置して蛍光体層を重層的に形成して対向させるようにしてもよい。
【００２２】
発光ダイオードチップ及び蛍光体層は、例えば、白色の発光色を得るために、凹部の中心部に青色発光ダイオードチップを配置し、青色発光ダイオードチップの前面に黄色蛍光体層を重層的に配設して、蛍光体層が発光ダイオードチップより大なる発光面積を有するように構成した方式が、本発明による色むら抑制の効果をより一層発揮するが、これに限らず、光の３原色である、赤色発光ダイオードチップ、緑色発光ダイオードチップ及び青色発光ダイオードチップを凹部に配設して白色を得る方式、さらには紫または紫外発光ダイオードチップに赤・緑・青の蛍光体を凹部に配設して白色を得る方式等も本発明の対象として許容される。
【００２３】
発光ダイオードチップ及び蛍光体層は、白色光を得ることが主たる目的であるが、純粋な白色に限らず、例えば、演色性を高めるため構成された昼光色や電球色などを含めた、全ての白色系統の色が許容される。さらには、白色系統の色に限らず、所望により補色関係にない可視光を得ることも許容される。
【００２４】
レンズ体は、透明なアクリル樹脂等の合成樹脂または透明なガラスで構成した凸レンズが好ましいが、凹レンズまたは凸レンズを２枚等、複数枚を組み合わせ、各種の配光を得るようにしてもよい。
【００２５】
レンズ体は、発光ダイオードチップ及び蛍光体層を配設した基体の一部または全部を収納するための凹部及び反射部を一体に形成し、発光ダイオードチップ及び蛍光体層から放射される光線を凹部から取り込み、反射部で反射させて所望の方向に光を集束させるように構成してもよい。
【００２６】
光拡散手段は、レンズ体と別体の、例えば、光拡散処理を施したガラス体等の透明または半透明の透光体からなる光拡散手段を、レンズ体と蛍光体層との間に設けてもよい。さらにはレンズ体の蛍光体層側の面に直接光拡散処理を施して、レンズ体に一体に光拡散手段を形成する手段でもよい。
【００２７】
光拡散手段は、透明なガラス体等、若しくはレンズ体の表面を切削して細かい凹凸部を形成しても、または細かいガラス粒子等を吹き付けて形成してもよく、処理の手段は特定のものには限定されない。さらに、スリガラス等の半透明の構成部材が光を拡散させる手段であってもよい。
【００２８】
本発明における第２の態様の発光装置は、基体と；基体に配設された発光ダイオードチップと；発光ダイオードチップに対向して設けられ、発光ダイオードチップの光により異なる光を発光する蛍光体を含み、かつ発光ダイオードチップより大なる発光面積を有する蛍光体層と；発光ダイオードチップ及び蛍光体層から放射される光を通過させるレンズ体と；レンズ体と蛍光体層との間に設けられた光拡散手段と；を具備することを特徴とする。
【００２９】
本発明の第２の態様は、本発明の第１の態様と比較して、発光ダイオードチップより大なる発光面積を有する蛍光体層を具備している点が異なり、他の構成は共通している。
【００３０】
本発明によれば、レンズ体と蛍光体層との間に設けられた光拡散手段により、発光ダイオードチップより大なる発光面積を有する蛍光体層を具備し、発光ダイオードチップ及び蛍光体層の色の領域サイズが異なっていても照射面の色が分離することなく、色むらを抑制し安定した発光色を得ることが可能な発光装置が実現される。
【００３１】
本発明における第３の態様の発光装置は、請求項１または２に記載の発光装置において、前記光拡散手段は、レンズ体に一体に形成したことを特徴とする。
【００３２】
本発明における第４の態様の発光装置は、請求項１ないし３いずれか一に記載の発光装置において、前記発光ダイオードチップは、青色発光ダイオードチップで構成し、蛍光体層は黄色蛍光体を有して構成したことを特徴とする。
【００３３】
本発明において、青色発光ダイオードチップ及び黄色蛍光体は、厳密な青色または黄色を発光するものに限らず、青色付近または黄色付近の波長で発光するものも許容される。
【００３４】
本発明によれば、レンズ体と蛍光体層との間に設けられた光拡散手段により、青色発光ダイオードチップ及び黄色蛍光体を有する蛍光体層の色の領域サイズが異なっていても照射面の色が分離することなく、色むらを抑制し安定した白色、若しくは白色系統の色を得ることが可能な発光装置が実現される。
【００３５】
本発明の照明装置は、照明装置本体と；照明装置本体に配設された請求項１ないし４いずれか一に記載の発光装置と；を具備することを特徴とする。
【００３６】
本発明において、照明装置は、上述の発光装置を単一のもので構成しても、多数の発光装置を直線状またはマトリックス状等に多数配列し、線または面モジュール式等の照明装置を構成したものであってもよい。
【００３７】
さらに、その用途は照明装置全てに適用するもので、例えば、一般照明用のダウンライト、天井直付け灯などの各種の照明器具や、道路用、トンネル用照明器具、投光器などの屋外用の照明器具、さらには各種の表示装置等に用いることができる。
【発明の効果】
【００３８】
請求項１の発明によれば、レンズ体と蛍光体層との間に設けられた光拡散手段により、発光ダイオードチップ及び蛍光体層の色の領域サイズが異なっていても照射面の色が分離することなく、色むらを抑制し安定した発光色を得ることが可能な発光装置を提供することができる。
【００３９】
請求項２の発明によれば、レンズ体と蛍光体層との間に設けられた光拡散手段により、発光ダイオードチップより大なる発光面積を有する蛍光体層を具備し、発光ダイオードチップ及び蛍光体層の色の領域サイズが異なっていても照射面の色が分離することなく、色むらを抑制し安定した発光色を得ることが可能な発光装置を提供することができる。
【００４０】
請求項３の発明によれば、光拡散手段は、レンズ体に一体に形成したことにより、簡易な構成で発光ダイオードチップ及び蛍光体層の色の領域サイズが異なっていても照射面の色が分離することなく、色むらを抑制し安定した発光色を得ることが可能な発光装置を提供することができる。
【００４１】
請求項４の発明によれば、レンズ体と蛍光体層との間に設けられた光拡散手段により、青色発光ダイオードチップ及び黄色蛍光体を有する蛍光体層の色の領域サイズが異なっていても照射面の色が分離することなく、色むらを抑制し安定した白色、若しくは白色系統の発光色を得ることが可能な発光装置を提供することができる。
【００４２】
請求項５の発明によれば、色むらを抑制し安定した発光色を得ることが可能な照明装置を提供することができる。
【発明を実施するための最良の形態】
【００４３】
以下、図を参照して本発明に係る発光装置及び照明装置の実施形態について説明する。
【実施例１】
【００４４】
図１〜図６は、本発明の第１の実施形態である発光装置及び照明装置を示し、図１は発光装置の構成概要を示し、(ａ)は側面視の説明図、（ｂ）は（ａ）の照射面における投影図、図２は発光装置の基体を示し、（ａ）は平面図、（ｂ）は一部を切り欠いて示す縦断面図、図３は発光装置のレンズ体を示し、（ａ）は平面図、（ｂ）は縦断面図、（ｃ）は底面図、（ｄ）は変形例の縦断面図、図４は発光装置の縦断面図、図５は照明装置を示し、（ａ）は線モジュール式の照明装置を示す平面図、（ｂ）は面モジュール式の照明装置を示す平面図、図６は発光装置の変形例を示す側面視の構成概要の説明図である。
【００４５】
本実施例は、屋内等の照明を行う線モジュール式の照明装置に適用される発光ダイオードを用いた発光装置として構成されたものである。
【００４６】
図１に示すように、発光装置１０は、基体１１、発光ダイオードチップ（以下「ＬＥＤチップ」と称する）１２、蛍光体層１３、基体に設けられた透光部１４、レンズ体１５、光拡散手段１６で構成する。
【００４７】
基体１１は、図２に示すように、例えば、ＰＢＴ（ポリブチレンテレフタレート）、ＰＰＡ（ポリフタルアミド）やＰＣ（ポリカーボネート）等の、耐熱性、耐光性、電気絶縁性を有する合成樹脂からなり、外方に向けて順次広がる逆円錐形状の凹部１１ａ及び凹部の周囲に一体に形成した段部からなるレンズ支持部１１ｂを形成する。
【００４８】
凹部１１ａは、内周面に逆テーパー状の反射壁を形成し、開口端に本発明の透光部１４を構成する開口部１１ｃを形成する。
【００４９】
基体１１は、電気絶縁層１１ｄ及びリードフレーム１１ｅを介して基板１１ｆ上に配設される。
【００５０】
ＬＥＤチップ１２は、青色光を発生する例えば窒化ガリウム（ＧａＮ）系の半導体からなり、基体の凹部１１ａの底面に位置するリードフレーム１１ｅ上に実装され、所定の電気配線が施される。
【００５１】
ＬＥＤチップ１２は、凹部１１ａ内に充填された封止樹脂２０に埋設される。
【００５２】
すなわち、封止樹脂２０は、透光性を有するシリコーン樹脂やエポキシ樹脂などの熱硬化性樹脂からなり、凹部１１ａ内に充填されて、拡散層２０ａと蛍光体層１３の２層に構成される。
【００５３】
拡散層２０ａは、アルミナ、チタニア、カルシア、シリカ、イットリアなどの金属酸化物や、これらの金属単体の微粒子からなる拡散剤を、例えば、３〜５質量％添加した封止樹脂を、ＬＥＤチップ１２が内部に埋設されるように凹部１１ａに充填し熱硬化させて構成する。拡散層２０ａの表面は、中央が例えば、１〜５μｍ程度窪むように形成する。
【００５４】
なお、上記の拡散層２０ａは設けずに構成してもよい。
【００５５】
蛍光体層１３は、拡散層２０ａを熱硬化して形成した後に、黄色発光蛍光体を所要量添加した封止樹脂を凹部１１ａ内に充填し、熱硬化させて形成する。
【００５６】
これにより蛍光体層１３は、ＬＥＤチップ１２に対向して設けられ、ＬＥＤチップから放射される青色光により励起されて黄色光を発生する。
【００５７】
上記に構成した、基体の光源部分は、平面から見ると図２（ａ）に示すように、黄色蛍光体層１３の中心部に青色ＬＥＤチップ１２が設けられた形状をなし、青色ＬＥＤチップ１２による青色領域のサイズと黄色蛍光体層１３による黄色領域のサイズ、換言すれば、青色ＬＥＤチップ１２の発光面積Ｂと黄色蛍光体層１３による発光面積Ｙが異なり、蛍光体層１３がＬＥＤチップ１２より大なる発光面積を有して構成される。
【００５８】
レンズ体１５は、基体１１の透光部１４、換言すれば、蛍光体層１３に面して設けられ、詳細には図３（ａ）〜（ｃ）に示すように、例えば、透明なアクリル樹脂製で、凸レンズ部１５ａ、凹部１５ｂ及び反射部１５ｃを有して構成され、基体１１のレンズ支持部１１ｂに嵌合させることにより、レンズ体１５が透光部１４、すなわち蛍光体層１３に面し、かつＬＥＤチップ１２及び蛍光体層１３に接近して支持される（図４）。
【００５９】
凸レンズ部１５ａは、レンズ体１５の中心に位置し、ＬＥＤチップ１２からの光軸方向の比較的狭い出射角の光が入射する。
【００６０】
凹部１５ｂは、その内面が回転近似放物面状の円柱状をなし、上端が凸レンズ部１５ａの周縁部に連続し、凸レンズ部１５ａに入射する光より出射角の大きな光が入射する。
【００６１】
反射部１５ｃは、凹部１５ｂからレンズ体１５内に入射した光が反射するように形成され、凸レンズ部１５ａの周辺周囲に配置されている。反射部１５ｃは、全反射形であり反射光が前方へ放射される。さらにレンズ体１５の上面は平坦に形成されている。
【００６２】
１６は光拡散手段で、レンズ体１５とは別体に構成した光拡散処理を施したガラス体からなり、レンズ体１５と基体１１の蛍光体層１３との間に設ける。光拡散手段１６は、出来るだけ基体１１に近づけて設けることがよい。
【００６３】
より具体的には、図３（ａ）〜（ｃ）に示すように、光拡散手段１６を構成するガラス体を、レンズ体１５の円柱状をなす凹部１５ｂ内に、凸レンズ部１５ａに対向し、かつ凹部１５ｂの開口端部に出来るだけ近接させて嵌合し支持する。
【００６４】
光拡散手段１６を構成するガラス体は、その片面若しくは両面を切削して細かい凹凸部を形成し、光拡散処理を施して構成する。
【００６５】
上記に構成したレンズ体１５を、図４に示すように基体１１のレンズ支持部１１ｂに嵌合して支持し、発光装置１０を構成する。
【００６６】
これにより、光拡散手段１６が基体１１の蛍光体層１３に近接して配設される。  
【００６７】
次に、上記に構成した発光装置の作用につき説明する。
【００６８】
まず、発光装置１０に所定の直流電流を供給する。これによりＬＥＤチップ１２が青色光を発光し、この青色光は拡散層２０ａで適度に拡散されて、蛍光体層１３に入射して黄色蛍光体を励起し、黄色光を放射する。
【００６９】
これらの青色光及び黄色光は、図１に示すように、基体１１の透光部１４から放射され、透光部に面して設けられた光拡散手段１６を構成するガラス体に入射する。
【００７０】
光拡散手段１６を構成するガラス体には、蛍光体層１３に面して凹凸の拡散処理が施されており、青色光及び黄色光はそれぞれ拡散して混合され、青色光及び黄色光が分離することなく白色の光が放射される。
【００７１】
この際、光拡散手段１６を構成するガラス体は、透光部１４から放射される青色光及び黄色光をロスなく十分に取り込む大きさに構成してあるので光出力を殆んど低下させることがない。
【００７２】
拡散手段１６を構成するガラス体を通過した光は、レンズ体１５に入射して所定の方向に配光制御されて所望の照明を行う。
【００７３】
この際、図１（ｂ）に示すように、照射面Ｃにはレンズ体１５により光源部分の像形Ｘが投影される。
【００７４】
しかし、本実施例において、レンズ体１５が像として投影する対象は、レンズ体の手前に存在する光拡散手段１６としてのガラス体である。
【００７５】
このガラス体は、上述のように凹凸の光拡散処理が施されており、青色光及び黄色光はそれぞれ拡散して混合され、色が分離することなく白色の光を放射している。
【００７６】
この白色の光が照射面に投影されるため、従来のように、青色光と黄色光が分離して色むらが生じ照射面が白色とならないようなことがなく、確実かつ安定した白色光による照明を行うことができる。
【００７７】
上記に構成した発光装置１０は、単独で使用して点モジュールの照明装置を構成してもよいが、本実施例では、図５（ａ）に示すように発光装置１０を照明装置本体３０に直線状に多数配列して、線モジュール式の照明装置３１を構成した。
【００７８】
これら照明装置は、別途の電源ユニットを有し、また接続用延長ケーブルによって、所定数の線モジュール式の照明装置３１が連結されて、例えば、列車の窓に沿った直線的な室内照明やシステムキッチンの手元照明等に使用される。
【００７９】
以上、本実施例において、光拡散手段１６を構成するガラス体は、その片面若しくは両面を切削して細かい凹凸部を形成し、光拡散処理を施して構成したが、半透明のスリガラスで構成してもよい。さらに、材質は、例えば、透明なアクリル樹脂等の合成樹脂で構成してもよい。
【００８０】
ガラス体からなる光拡散手段１６を、レンズ体１５と基体１１の蛍光体層１３との間、より詳細には、レンズ体１５の円柱状をなす凹部１５ｂ内に嵌合させて支持したが、図３（ｄ）に示すように、凸レンズ部１５ａの蛍光体層１３側に面する面に、直接光拡散処理を施し、レンズ体１５に一体に光拡散手段１６を形成してもよい。
【００８１】
これにより、別体構成の光拡散手段１６を構成するガラス体を省略し、より簡易な構成の発光装置を提供することができる。
【００８２】
さらには、凸レンズ部１５ａの光拡散処理を施した面に連続して、円柱状をなす凹部１５ｂの内周面にも光拡散処理を施すように構成してもよい。
【００８３】
これにより、入射角の大きな光も拡散することができ、より一層色むらを抑制することができる。
【００８４】
レンズ体１５を、凸レンズで構成したが、図６に示すように、透光部１４側に光拡散処理を施して光拡散手段１６を一体に形成した凹レンズ１５ｄで構成してもよい。
【００８５】
発光装置１０を直線状に多数配列して、線モジュール式の照明装置３１を構成したが、図５（ｂ）に示すようにマトリックス状に多数配列して、面モジュール式の照明装置を構成してもよい。
【００８６】
以上、本実施例によれば、照射面Ｃには、青色光及び黄色光がそれぞれ拡散して混合され、それぞれの色が分離することなく白色の光を放射している光拡散手段としてのガラス体１６の像が投影される。
【００８７】
このため、色が分離することなく、色むらが抑制されて確実かつ安定した白色を呈する照明を行うことができ、同時に輝度むらが少なくなり、グレアを伴わない照明を行うことができる。
【００８８】
特に、発光ダイオードチップ１２よりも大なる発光面積を有する蛍光体層１３を具備していても、照射面の色が分離することなく、色むらが抑制されて確実かつ安定した白色を呈する照明を行うことができ、同時にグレアを伴わない照明を行うことができる。
【００８９】
また、ガラス体で構成した光拡散手段１６及びレンズ体１５を、黄色領域Ｙ及び青色領域Ｂの両方の領域を十分にカバーできるように構成したので、透光部１４から放射される、ＬＥＤチップ１２からの青色光と蛍光体層１３から放射される黄色光を、ロスなく十分に取り込んで、光出力を低下させることなく、かつ色むらを抑制することができる。
【００９０】
また、光拡散手段１６を構成するガラス体を、レンズ体１５の円柱状をなす凹部１５ｂ内に、凸レンズ部１５ａに対向し、かつ凹部１５ｂの開口端部に出来るだけ近接させて嵌合し支持するようにしたので、光拡散手段を簡易な構成で所定の位置に確実に支持することができ、色むらを抑制できると共に、所望の光学性能を確実に発揮させることができる。
【００９１】
さらに、凸レンズ部１５ａの蛍光体層１３側に面する面に、直接光拡散処理を施せば、より一層簡易な構成で、色むらを抑制できると共に、所望の光学性能を確実に発揮させることができる。
【００９２】
発光装置１０を直線状に多数配列して、照明装置を構成したので、色むらを抑制し安定した発光色を得ることが可能な照明装置を提供することができると共に、線モジュールや面モジュール等の照明装置を簡単に構成することができ、各種の照明用途に適用可能な照明装置を提供することができる。
【００９３】
以上、本発明の好適な実施形態を説明したが、本発明は上述の実施例に限定されることなく、本発明の要旨を逸脱しない範囲内において、種々の設計変更を行うことができる。
【図面の簡単な説明】
【００９４】
【図１】本発明の第１の実施形態である発光装置の構成概要を示し、(ａ)は側面視の説明図、（ｂ）は（ａ）の照射面における投影図。
【図２】同じく発光装置の基体を示し、（ａ）は平面図、（ｂ）は一部を切り欠いて示す縦断面図。
【図３】同じく発光装置のレンズ体を示し、（ａ）は平面図、（ｂ）は縦断面図、（ｃ）は底面図、（ｄ）は変形例の縦断面図。
【図４】同じく発光装置の縦断面図。
【図５】同じく第１の実施形態である照明装置を示し、（ａ）は線モジュール式の照明装置を示す平面図、（ｂ）は面モジュール式の照明装置を示す平面図。
【図６】同じく発光装置の変形例を示す側面視の説明図。
【図７】従来の発光装置の構成概要を示し、(ａ)は側面視の説明図、（ｂ）は（ａ）の照射面における投影図、（ｃ）は基体の平面視の説明図、(ｄ)は下方から照明した場合の照射面における投影図。
【符号の説明】
【００９５】
１０  発光装置
１１  基体
１２  発光ダイオードチップ
１３  蛍光体層
１５  レンズ体
１６  光拡散手段
【図１】
2007180288.tif 000003
【図２】
2007180288.tif 000004
【図３】
2007180288.tif 000005
【図４】
2007180288.tif 000006
【図５】
2007180288.tif 000007
【図６】
2007180288.tif 000008
【図７】
2007180288.tif 000009